【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
１の垂直同期信号から次の垂直同期信号までの区間から、水平帰線区間及び垂直帰線区間を除いた区間である有効画像区間において、非圧縮の１画面分の画像の画素データを、第１の差動信号により、受信装置に一方向に送信する送信装置であって、
送信するデータであって、前記画素データとは異なるデータを第１の部分信号および第２の部分信号からなる第２の差動信号に変換し、前記第１の部分信号を第１の信号線を介して前記受信装置に送信するとともに、前記第２の部分信号を出力する変換手段と、
制御に関する信号である第１の送信信号、または前記変換手段から出力された前記第２の部分信号のうちのいずれかを選択し、選択した信号を第２の信号線を介して前記受信装置に送信する第１の選択手段と、
前記第１の送信信号を前記受信装置に送信する場合、前記第１の選択手段により前記第１の送信信号が選択され、前記第２の差動信号を前記受信装置に送信する場合、前記第１の選択手段により前記第２の部分信号が選択されるように制御する第１の制御手段と、
前記受信装置から送信されてきた第３の部分信号と第４の部分信号とからなる第３の差動信号を受信し、元のデータに復号する復号手段と
を備える送信装置。
【請求項２】
前記復号手段は、前記第２の信号線を介して送信されてきた前記第３の部分信号と、前記第１の信号線を介して送信されてきた前記第４の部分信号とからなる前記第３の差動信号を受信し、
前記第１の選択手段は、前記第２の部分信号若しくは前記第３の部分信号、または前記第１の送信信号を選択し、
前記第１の制御手段は、前記第３の差動信号を受信する場合、前記第１の選択手段により前記第３の部分信号が選択されて、前記第３の部分信号が前記復号手段により受信されるように制御する
請求項１に記載の送信装置。
【請求項３】
前記第１の選択手段は、前記第２の部分信号若しくは前記第３の部分信号、または前記第１の送信信号、若しくは前記第２の信号線を介して前記受信装置から送信されてきた、制御に関する信号である受信信号を選択し、前記受信信号が選択された場合、選択した前記受信信号を受信して出力する
請求項２に記載の送信装置。
【請求項４】
前記復号手段は、第３の信号線を介して送信されてきた前記第３の部分信号と、第４の信号線を介して送信されてきた前記第４の部分信号とからなる前記第３の差動信号を受信し、
前記第３の部分信号、または前記受信装置に送信する、制御に関する信号である第２の送信信号のうちのいずれかを選択する第２の選択手段と、
前記第４の部分信号、または前記受信装置に送信する第３の送信信号のうちのいずれかを選択する第３の選択手段と、
前記第２の送信信号および前記第３の送信信号を前記受信装置に送信する場合、前記第２の選択手段により前記第２の送信信号が選択されて、前記第２の送信信号が前記第３の信号線を介して前記受信装置に送信されるとともに、前記第３の選択手段により前記第３の送信信号が選択されて、前記第３の送信信号が前記第４の信号線を介して前記受信装置に送信されるように制御し、前記第３の差動信号を受信する場合、前記第２の選択手段により前記第３の部分信号が選択されて前記復号手段に受信され、前記第３の選択手段により前記第４の部分信号が選択されて前記復号手段に受信されるように制御する第２の制御手段と
をさらに備える請求項１に記載の送信装置。
【請求項５】
前記第１の選択手段は、前記第２の部分信号、または前記第１の送信信号、若しくは前記第２の信号線を介して前記受信装置から送信されてきた、制御に関する信号である第１の受信信号を選択し、前記第１の受信信号が選択された場合、選択した前記第１の受信信号を受信して出力し、
前記第２の選択手段は、前記第３の部分信号、または前記第２の送信信号、若しくは前記第３の信号線を介して前記受信装置から送信されてきた、制御に関する信号である第２の受信信号を選択し、前記第２の受信信号が選択された場合、選択した前記第２の受信信号を受信して出力する
請求項４に記載の送信装置。
【請求項６】
前記第１の送信信号および前記第１の受信信号は、前記送信装置または前記受信装置の制御用のデータであるCEC（Consumer Electronics Control）信号とされ、
前記第２の受信信号は、制御に用いられる、前記受信装置の性能に関する情報であるE-EDID（Enhanced Extended Display Identification Data）とされ、
前記第２の差動信号に変換されるデータ、および前記第３の差動信号が復号されて得られたデータは、ＩＰ（Internet Protocol）に準拠したデータとされ、
前記第１の制御手段は、前記第２の受信信号が受信された後、前記第１の選択手段により前記第２の部分信号が選択されるように制御し、
前記第２の制御手段は、前記第２の受信信号が受信された後、前記第２の選択手段および前記第３の選択手段により、前記第３の部分信号および前記第４の部分信号が選択されるように制御する
請求項５に記載の送信装置。
【請求項７】
１の垂直同期信号から次の垂直同期信号までの区間から、水平帰線区間及び垂直帰線区間を除いた区間である有効画像区間において、送信装置から一方向に送信されてくる、非圧縮の１画面分の画像の画素データを、第１の差動信号により受信する受信装置であって、
第１の信号線を介して前記送信装置から送信されてきた第１の部分信号と、第２の信号線を介して前記送信装置から送信されてきた第２の部分信号とからなる第２の差動信号を受信し、元のデータに復号する復号手段と、
前記第１の部分信号、または前記第１の信号線を介して前記送信装置から送信されてきた、制御に関する信号である第１の受信信号のうちのいずれかを選択する第１の選択手段と、
前記第１の受信信号を受信する場合、前記第１の選択手段により前記第１の受信信号が選択されて受信され、前記第２の差動信号を受信する場合、前記第１の選択手段により前記第１の部分信号が選択されて前記復号手段により受信されるように制御する第１の制御手段と、
送信するデータであって、前記画素データとは異なるデータを第３の部分信号および第４の部分信号からなる第３の差動信号に変換して前記送信装置に送信する変換手段と
を備える受信装置。
【請求項８】
前記変換手段は、前記第３の部分信号を出力するとともに、前記第４の部分信号を前記第２の信号線を介して前記送信装置に送信し、
前記第１の選択手段は、前記第１の受信信号、または前記第１の部分信号、若しくは前記変換手段から出力された前記第３の部分信号を選択し、
前記第１の制御手段は、前記第３の差動信号を送信する場合、前記第１の選択手段により前記第３の部分信号が選択され、前記第１の信号線を介して前記送信装置に送信されるように制御する
請求項７に記載の受信装置。
【請求項９】
前記第１の選択手段は、前記第１の部分信号若しくは前記第３の部分信号、または前記第１の受信信号、若しくは制御に関する信号である送信信号を選択し、前記送信信号が選択された場合、選択した前記送信信号を前記第１の信号線を介して前記送信装置に送信する
請求項８に記載の受信装置。
【請求項１０】
前記変換手段は、前記第３の部分信号および前記第４の部分信号を出力し、
前記変換手段から出力された前記第３の部分信号、または第３の信号線を介して前記送信装置から送信されてきた、制御に関する信号である第２の受信信号のうちのいずれかを選択する第２の選択手段と、
前記変換手段から出力された前記第４の部分信号、または第４の信号線を介して前記送信装置から送信されてきた第３の受信信号のうちのいずれかを選択する第３の選択手段と、
前記第２の受信信号および前記第３の受信信号を受信する場合、前記第２の選択手段により前記第２の受信信号が選択されて受信されるとともに、前記第３の選択手段により前記第３の受信信号が選択されて受信されるように制御し、前記第３の差動信号を送信する場合、前記第２の選択手段により前記第３の部分信号が選択され、前記第３の信号線を介して前記送信装置に送信されるとともに、前記第３の選択手段により前記第４の部分信号が選択され、前記第４の信号線を介して前記送信装置に送信されるように制御する第２の制御手段と
をさらに備える請求項７に記載の受信装置。
【請求項１１】
前記第１の選択手段は、前記第１の部分信号、または前記第１の受信信号、若しくは前記送信装置に送信される、制御に関する信号である第１の送信信号を選択し、前記第１の送信信号が選択された場合、選択した前記第１の送信信号を前記第１の信号線を介して前記送信装置に送信し、
前記第２の選択手段は、前記第３の部分信号、または前記第２の受信信号、若しくは前記送信装置に送信される、制御に関する信号である第２の送信信号を選択し、前記第２の送信信号が選択された場合、選択した前記第２の送信信号を前記第３の信号線を介して前記送信装置に送信する
請求項１０に記載の受信装置。
【請求項１２】
１の垂直同期信号から次の垂直同期信号までの区間から、水平帰線区間及び垂直帰線区間を除いた区間である有効画像区間において、非圧縮の１画面分の画像の画素データを、第１の差動信号により、受信装置に一方向に送信する送信装置であり、
送信するデータであって、前記画素データとは異なるデータを第１の部分信号および第２の部分信号からなる第２の差動信号に変換し、前記第１の部分信号を第１の信号線を介して前記受信装置に送信するとともに、前記第２の部分信号を出力する第１の変換手段と、
制御に関する信号である送信信号、または前記第１の変換手段から出力された前記第２の部分信号のうちのいずれかを選択し、選択した信号を第２の信号線を介して前記受信装置に送信する第１の選択手段と、
前記送信信号を前記受信装置に送信する場合、前記第１の選択手段により前記送信信号が選択され、前記第２の差動信号を前記受信装置に送信する場合、前記第１の選択手段により前記第２の部分信号が選択されるように制御する第１の制御手段と、
前記受信装置から送信されてきた第３の差動信号を受信し、元のデータに復号する第１の復号手段と
を備える送信装置と、
前記送信装置から送信されてくる前記第１の差動信号を受信する受信装置であり、
送信するデータであって、前記画素データとは異なるデータを前記第３の差動信号に変換して前記送信装置に送信する第２の変換手段と、
前記送信装置から送信されてきた前記第２の差動信号を受信し、元のデータに復号する第２の復号手段と、
前記第２の部分信号、または前記送信信号のうちのいずれかを選択する第２の選択手段と、
前記送信信号を受信する場合、前記第２の選択手段により前記送信信号が選択されて受信され、前記第２の差動信号を受信する場合、前記第２の選択手段により前記第２の部分信号が選択されて、前記第２の部分信号が前記第２の復号手段により受信されるように制御する第２の制御手段と
を備える受信装置と
を接続する通信ケーブルであり、
前記第１の信号線および前記第２の信号線を備え、
前記第１の信号線と、前記第２の信号線とが差動ツイストペア結線された
通信ケーブル。
【請求項１３】
１本のケーブルで映像と音声のデータ伝送と接続機器情報の交換および認証と機器制御データの通信とＬＡＮ通信を行うインタフェースを含む通信システムであって、
接続対応機器を接続可能な１対の差動伝送路を有し、
ＬＡＮ通信が前記１対の差動伝送路を介した双方向通信で行われ、当該１対の差動伝送路のうちの少なくとも一方のＤＣバイアス電位によってインタフェースの接続状態を通知する機能を有する
通信システム。
【請求項１４】
接続された一方の接続対応機器が、
前記一方の伝送路を所定の電位にＤＣバイアスし、
接続された他方の接続対応機器が、
前記ＤＣバイアスとあらかじめ設定された基準電位との比較により接続状態にあるか否かを認識可能とする機能を有する
請求項１３記載の通信システム。
【請求項１５】
前記１対の差動伝送路で接続される少なくとも一方の接続対応機器が、
他方の伝送路のＤＣバイアスにより接続された機器が接続対応機器であるか否かを認識可能とする機能を有する
請求項１３記載の通信システム。
【請求項１６】
１本のケーブルで映像と音声のデータ伝送と接続機器情報の交換および認証と機器制御データの通信とＬＡＮ通信を行うインタフェースを含む通信システムであって、
接続対応機器を接続可能な２対の差動伝送路を有し、
ＬＡＮ通信が２対の差動伝送路を介する単方向通信で行われ、前記伝送路のうちの少なくとも一つの伝送路のＤＣバイアス電位によってインタフェースの接続状態が通知する機能を有し、
少なくとも二つの伝送路がＬＡＮ通信とは時分割で接続機器情報の交換と認証の通信に使われる
通信システム。
【請求項１７】
１本のケーブルで映像と音声のデータ伝送と接続機器情報の交換および認証と機器制御データの通信とＬＡＮ通信を行うインタフェースを含む通信システムに適用可能な送信装置であって、
１対の差動伝送路に接続され、
ＬＡＮ通信が前記１対の差動伝送路を介した双方向通信で行われ、当該１対の差動伝送路のうちの少なくとも一方のＤＣバイアス電位によってインタフェースの接続状態を通知する機能を有する
送信装置。
【請求項１８】
１本のケーブルで映像と音声のデータ伝送と接続機器情報の交換および認証と機器制御データの通信とＬＡＮ通信を行うインタフェースを含む通信システムに適用可能な受信装置であって、
１対の差動伝送路に接続され、
ＬＡＮ通信が前記１対の差動伝送路を介した双方向通信で行われ、当該１対の差動伝送路のうちの少なくとも一方のＤＣバイアス電位によってインタフェースの接続状態を通知する機能を有する
受信装置。
【請求項１９】
１本のケーブルで映像と音声のデータ伝送と接続機器情報の交換および認証と機器制御データの通信とＬＡＮ通信を行うインタフェースを含む通信システムに適用可能な送信装置であって、
２対の差動伝送路に接続され、
ＬＡＮ通信が２対の差動伝送路を介する単方向通信で行われ、前記伝送路のうちの少なくとも一つの伝送路のＤＣバイアス電位によってインタフェースの接続状態が通知する機能を有する
送信装置。
【請求項２０】
１本のケーブルで映像と音声のデータ伝送と接続機器情報の交換および認証と機器制御データの通信とＬＡＮ通信を行うインタフェースを含む通信システムに適用可能な受信装置であって、
２対の差動伝送路に接続され、
ＬＡＮ通信が２対の差動伝送路を介する単方向通信で行われ、前記伝送路のうちの少なくとも一つの伝送路のＤＣバイアス電位によってインタフェースの接続状態が通知する機能を有する
受信装置。
【手続補正２】
【補正対象書類名】明細書
【補正対象項目名】発明の名称
【補正方法】変更
【補正の内容】
【発明の名称】通信システム、送信装置、受信装置、および通信ケーブル
【手続補正３】
【補正対象書類名】明細書
【補正対象項目名】０００１
【補正方法】変更
【補正の内容】
【０００１】
本発明は通信システム、送信装置、受信装置、および通信ケーブルに関し、特に、非圧縮の画像の画素データを一方向に高速伝送することができる、たとえば、HDMI（High Definition Multimedia Interface）（Ｒ）などの通信インタフェースにおいて、互換性を保ちつつ、高速の通信を行うことができるようにした通信システム、送信装置、受信装置、および通信ケーブルに関する。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】変更
【補正の内容】
【００２５】
本発明の第１の観点の送信装置は、１の垂直同期信号から次の垂直同期信号までの区間から、水平帰線区間及び垂直帰線区間を除いた区間である有効画像区間において、非圧縮の１画面分の画像の画素データを、第１の差動信号により、受信装置に一方向に送信する送信装置であって、送信するデータであって、前記画素データとは異なるデータを第１の部分信号および第２の部分信号からなる第２の差動信号に変換し、前記第１の部分信号を第１の信号線を介して前記受信装置に送信するとともに、前記第２の部分信号を出力する変換手段と、制御に関する信号である第１の送信信号、または前記変換手段から出力された前記第２の部分信号のうちのいずれかを選択し、選択した信号を第２の信号線を介して前記受信装置に送信する第１の選択手段と、前記第１の送信信号を前記受信装置に送信する場合、前記第１の選択手段により前記第１の送信信号が選択され、前記第２の差動信号を前記受信装置に送信する場合、前記第１の選択手段により前記第２の部分信号が選択されるように制御する第１の制御手段と、前記受信装置から送信されてきた第３の部分信号と第４の部分信号とからなる第３の差動信号を受信し、元のデータに復号する復号手段とを備える。
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】変更
【補正の内容】
【００３２】
本発明の第１の観点においては、送信するデータであって、画素データとは異なるデータが第１の部分信号および第２の部分信号からなる第２の差動信号に変換され、前記第１の部分信号が第１の信号線を介して前記受信装置に送信されるとともに、前記第２の部分信号が出力され、制御に関する信号である第１の送信信号、または出力された前記第２の部分信号のうちのいずれかが選択され、選択された信号が第２の信号線を介して前記受信装置に送信される。ここで、前記第１の送信信号を前記受信装置に送信する場合、前記第１の送信信号が選択され、前記第２の差動信号を前記受信装置に送信する場合、前記第２の部分信号が選択されるように制御される。また、前記受信装置から送信されてきた第３の部分信号と第４の部分信号とからなる第３の差動信号が受信され、元のデータに復号される。
【手続補正１１】
【補正対象書類名】明細書
【補正対象項目名】００３３
【補正方法】変更
【補正の内容】
【００３３】
本発明の第２の観点の受信装置は、１の垂直同期信号から次の垂直同期信号までの区間から、水平帰線区間及び垂直帰線区間を除いた区間である有効画像区間において、送信装置から一方向に送信されてくる、非圧縮の１画面分の画像の画素データを、第１の差動信号により受信する受信装置であって、第１の信号線を介して前記送信装置から送信されてきた第１の部分信号と、第２の信号線を介して前記送信装置から送信されてきた第２の部分信号とからなる第２の差動信号を受信し、元のデータに復号する復号手段と、前記第１の部分信号、または前記第１の信号線を介して前記送信装置から送信されてきた、制御に関する信号である第１の受信信号のうちのいずれかを選択する第１の選択手段と、前記第１の受信信号を受信する場合、前記第１の選択手段により前記第１の受信信号が選択されて受信され、前記第２の差動信号を受信する場合、前記第１の選択手段により前記第１の部分信号が選択されて前記復号手段により受信されるように制御する第１の制御手段と、送信するデータであって、前記画素データとは異なるデータを第３の部分信号および第４の部分信号からなる第３の差動信号に変換して前記送信装置に送信する変換手段とを備える。
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】変更
【補正の内容】
【００３９】
本発明の第２の観点においては、第１の信号線を介して前記送信装置から送信されてきた第１の部分信号と、第２の信号線を介して前記送信装置から送信されてきた第２の部分信号とからなる第２の差動信号が受信され、元のデータに復号され、前記第１の部分信号、または前記第１の信号線を介して前記送信装置から送信されてきた、制御に関する信号である第１の受信信号のうちのいずれかが選択される。ここで、前記第１の受信信号を受信する場合、前記第１の受信信号が選択されて受信され、前記第２の差動信号を受信する場合、前記第１の部分信号が選択されて受信されるように制御される。また、送信するデータであって、前記画素データとは異なるデータが第３の部分信号および第４の部分信号からなる第３の差動信号に変換されて前記送信装置に送信される。
【手続補正１４】
【補正対象書類名】明細書
【補正対象項目名】００４０
【補正方法】変更
【補正の内容】
【００４０】
本発明の第３の観点の通信ケーブルは、１の垂直同期信号から次の垂直同期信号までの区間から、水平帰線区間及び垂直帰線区間を除いた区間である有効画像区間において、非圧縮の１画面分の画像の画素データを、第１の差動信号により、受信装置に一方向に送信する送信装置であり、送信するデータであって、前記画素データとは異なるデータを第１の部分信号および第２の部分信号からなる第２の差動信号に変換し、前記第１の部分信号を第１の信号線を介して前記受信装置に送信するとともに、前記第２の部分信号を出力する第１の変換手段と、制御に関する信号である送信信号、または前記第１の変換手段から出力された前記第２の部分信号のうちのいずれかを選択し、選択した信号を第２の信号線を介して前記受信装置に送信する第１の選択手段と、前記送信信号を前記受信装置に送信する場合、前記第１の選択手段により前記送信信号が選択され、前記第２の差動信号を前記受信装置に送信する場合、前記第１の選択手段により前記第２の部分信号が選択されるように制御する第１の制御手段と、前記受信装置から送信されてきた第３の差動信号を受信し、元のデータに復号する第１の復号手段とを備える送信装置と、前記送信装置から送信されてくる前記第１の差動信号を受信する受信装置であり、送信するデータであって、前記画素データとは異なるデータを前記第３の差動信号に変換して前記送信装置に送信する第２の変換手段と、前記送信装置から送信されてきた前記第２の差動信号を受信し、元のデータに復号する第２の復号手段と、前記第２の部分信号、または前記送信信号のうちのいずれかを選択する第２の選択手段と、前記送信信号を受信する場合、前記第２の選択手段により前記送信信号が選択されて受信され、前記第２の差動信号を受信する場合、前記第２の選択手段により前記第２の部分信号が選択されて、前記第２の部分信号が前記第２の復号手段により受信されるように制御する第２の制御手段とを備える受信装置とを接続する通信ケーブルであり、前記第１の信号線および前記第２の信号線を備え、前記第１の信号線と、前記第２の信号線とが差動ツイストペア結線されている。
【手続補正１５】
【補正対象書類名】明細書
【補正対象項目名】００４１
【補正方法】変更
【補正の内容】
【００４１】
本発明の第３の観点においては、送信装置と受信装置とを接続する通信ケーブルに、第１の信号線および第２の信号線が設けられ、前記第１の信号線と、前記第２の信号線とが差動ツイストペア結線されている。
【手続補正１６】
【補正対象書類名】明細書
【補正対象項目名】００４２
【補正方法】変更
【補正の内容】
【００４２】
本発明の第４の観点は、１本のケーブルで映像と音声のデータ伝送と接続機器情報の交換および認証と機器制御データの通信とＬＡＮ通信を行うインタフェースを含む通信システムであって、接続対応機器を接続可能な１対の差動伝送路を有し、ＬＡＮ通信が前記１対の差動伝送路を介した双方向通信で行われ、当該１対の差動伝送路のうちの少なくとも一方のＤＣバイアス電位によってインタフェースの接続状態を通知する機能を有する。
【手続補正１７】
【補正対象書類名】明細書
【補正対象項目名】００４３
【補正方法】変更
【補正の内容】
【００４３】
本発明の第５の観点は、１本のケーブルで映像と音声のデータ伝送と接続機器情報の交換および認証と機器制御データの通信とＬＡＮ通信を行うインタフェースを含む通信システムであって、接続対応機器を接続可能な２対の差動伝送路を有し、ＬＡＮ通信が２対の差動伝送路を介する単方向通信で行われ、前記伝送路のうちの少なくとも一つの伝送路のＤＣバイアス電位によってインタフェースの接続状態が通知する機能を有し、少なくとも二つの伝送路がＬＡＮ通信とは時分割で接続機器情報の交換と認証の通信に使われる。
【手続補正１８】
【補正対象書類名】明細書
【補正対象項目名】００４５
【補正方法】削除
【補正の内容】
【手続補正１９】
【補正対象書類名】明細書
【補正対象項目名】００４６
【補正方法】削除
【補正の内容】
【手続補正２０】
【補正対象書類名】明細書
【補正対象項目名】００４７
【補正方法】削除
【補正の内容】
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】００５０
【補正方法】削除
【補正の内容】
【手続補正２４】
【補正対象書類名】明細書
【補正対象項目名】００５１
【補正方法】削除
【補正の内容】
【手続補正２５】
【補正対象書類名】明細書
【補正対象項目名】００５２
【補正方法】削除
【補正の内容】
【手続補正２６】
【補正対象書類名】明細書
【補正対象項目名】００５３
【補正方法】削除
【補正の内容】
【手続補正２７】
【補正対象書類名】明細書
【補正対象項目名】００５４
【補正方法】削除
【補正の内容】
【手続補正２８】
【補正対象書類名】明細書
【補正対象項目名】００５５
【補正方法】削除
【補正の内容】
【手続補正２９】
【補正対象書類名】明細書
【補正対象項目名】００５６
【補正方法】削除
【補正の内容】
【手続補正３０】
【補正対象書類名】明細書
【補正対象項目名】００５８
【補正方法】変更
【補正の内容】
【００５８】
［第１の実施例］  図２は、本発明を適用した一実施の形態の画像伝送システムの構成を示す図である。